(57)【要約】【課題】掘取りコンベア側枠と支持フレームの間にビートなどの収穫物の茎葉、土塊、枯草などが滞積しにくい構造にする。【解決手段】ハーベスタの基台から下方へ延び、基台下方に配設された掘取りコンベアの側枠に連結される支持フレームの連絡形状において、支持フレームの少なくとも軸方向内側面が凸状曲面に形成されており、この支持フレームの縦軸から湾曲部を経てコンベア側枠にいたる少なくとも内向き及び上向きの全面が円滑な一連の凸状曲面を保持した形状にする。凸状曲面は断面が円形、楕円形、半円弧状のいずれでもよく、支持フレームは中空でもよく、ロッドでもよい。【選択図】図１
2009034050.tif 000002
【特許請求の範囲】
【請求項１】
ハーベスタの基台から下方へ延び、基台下方に配設された掘取りコンベアの側枠に連結される支持フレームの連絡形状において、支持フレームの少なくとも軸方向内側面が凸状曲面に形成されており、この支持フレームの縦軸から湾曲部を経てコンベア側枠にいたる少なくとも内向き及び上向きの全面が円滑な一連の凸状曲面を保持して連絡されていることを特徴とするハーベスタの掘取りコンベア側枠への支持フレームの連絡形状
【請求項２】
支持フレームの縦軸から湾曲部を経てコンベア側枠にいたる全面の断面外形が円形又は楕円形である請求項１記載のハーベスタの掘取りコンベア側枠への支持フレームの連絡形状
【請求項３】
支持フレームの縦軸から湾曲部を経てコンベア側枠にいたる全面の断面外形が半円又は半楕円形である請求項１記載のハーベスタの掘取りコンベア側枠への支持フレームの連絡形状
【発明の詳細な説明】
【技術分野】
【０００１】
本発明はトラクタなどの牽引車に牽引されるビートハーベスタなどの収穫機下方に設置され、掘取ったビートなどの収穫物を上方へ搬送するコンベアに関し、特に、コンベア側枠にいたる支持フレームの連絡表面形状に関する。
【背景技術】
【０００２】
図４に示すように、トラクタなどの牽引車に誘導されて矢印方向へ走行するビートハーベスタなどの収穫機１は、収穫物を収納するタンク２の基台３下方に掘取り爪４を有する上方揚送コンベア５が設置されている。
このコンベア５は掘取り爪４で掘起こした収穫物をチェーン６などの搬送手段で上方へ揚送し、別の各種コンベア７を介してタンク２へ搬送するための最初のコンベア装置であって、上方端部（図は省略）は収穫機１の基台３に軸着されているとともに、掘取り爪４近傍のコンベアの左右側枠８先端側は、上端を基台３に取付けた支持フレーム９によって支持されている。
【発明の開示】
【発明が解決しようとする課題】
【０００３】
ビートハーベスタ１の基台下方に設置される掘取りコンベア５はその先端部分がビートの茎葉や枯草などが散乱している地表面を矢印方向へ突き進むため、掘起こした土塊や枯草や土との接触が避けられない。
特に、従来のビートハーベスタは、図４に示すように、コンベア側枠の側面に鉄製角材の支持フレームを結合しているため走行中に土塊、茎葉、枯草などが支持フレームやコンベア側枠取付部に巻き付き、これが滞積するため、搬送作業の障害になるとともに、走行時の圧力により固く巻き込まれるため除去に多大な労力が必要になる。
【０００４】
コンベア側枠から突出させたボスに角材支持フレームをボルト締めしたものもあるが、ボスと角材の支持フレームが直角に結合されているためビート茎葉等は後方へ流れることなく、隙間に固く巻き込まれ、取りにくくなる。
【０００５】
従って、本発明の目的は、コンベア側枠と支持フレームの間にビートの茎葉、土塊、枯草などが滞積しにくい構造のコンベア側枠への支持フレームの連絡形状を提供することにある。
【課題を解決するための手段】
【０００６】
上記の目的を達成するために、本発明は、ハーベスタの基台から下方へ延び、基台下方に配設された掘取りコンベアの側枠に連結される支持フレームの連絡形状において、支持フレームの少なくとも軸方向内側面が凸状曲面に形成されており、この支持フレームの縦軸から湾曲部を経てコンベア側枠にいたる少なくとも内向き及び上向きの全面が円滑な一連の凸状曲面を保持して連絡されていることを特徴とする。
【０００７】
上記の目的を達成するために、前記支持フレームは、好ましくは、支持フレーム縦軸から湾曲部を経てコンベア側枠にいたる全面の断面外形が円形又は楕円形を保持して接続する。
【０００８】
上記の目的を達成するために、前記支持フレームは、支持フレーム縦軸から湾曲部を経てコンベア側枠にいたる全面の断面外形が半円形又は半楕円形を保持して連絡させてもよい。
【発明の効果】
【０００９】
本発明は、支持フレームが、支持フレームの縦軸から湾曲部を経て掘取りコンベア側枠にいたる、断面外形が円形、楕円形を保持し、あるいは、少なくとも内向き及び上向きの全面が半円形保持されているので、ビートなどの収穫物の茎葉や、枯草、土塊が支持フレームとコンベア側枠の曲面を滑り、後方へすり抜ける。従って、支持フレームとコンベア側枠間に滞積しにくく、また、滞積しても自然に落下し、あるいは簡単に除くことができる。
【発明を実施するための最良の形態】
【００１０】
以下、本発明の実施例を添付の図面に基づいて詳述する。なお、図において、前記図４と同一の符号は同一の部材を示す。
図１において、符号５はコンベアであって、このコンベア５は、ビートハーベスタ１の基台３の下方に配置されたコンベアである。
このコンベア５は、先端に掘取り爪４を有するとともに、その後方に、上方の基台３の方向へエンドレスに回動するチェーン６などの揚送手段を備えており、矢印方向への進行に伴って、掘取り爪４で掘起こしたビートなどの収穫物をコンベア５を介して別のコンベア７へ搬送するものである。
このコンベア５の先端側は掘取り爪４を圃場の畝にもぐらせて進行するので、地表面に散乱しているビート茎葉や枯草を巻き込んで突き進むことになる。このため、茎葉や枯草、土などが滞積してコンベア側枠と支持フレームの間に引っかかり、掘取り作業の障害となる。
【００１１】
この問題を解決するために、図１乃至図１ｃの実施例は基台３とコンベア５のコンベア側枠８間に結合される支持フレーム９を、その縦軸９ａから湾曲部９ｂを経てコンベア側枠８への接合部９ｃにいたる全面の断面形状が円形を保持するようにして接続してある。
すなわち、図１ａ〜図１ｃに示すように、縦軸９ａのＡ−Ａ線断面、湾曲部９ｂのＢ−Ｂ線断面及び前記湾曲部９ｂから接合部９ｃ間のＣ−Ｃ線断面はいずれも断面が円形に保持されている。
【００１２】
図２乃至図２ｃは、本発明の他の実施例を示すもので、この実施例は、支持フレーム９を、その縦軸９ａから湾曲部９ｂを経てコンベア側枠８への接合部９ｃにいたる全面の断面形状が楕円形を保持して接続している。すなわち、図２ａ〜図２ｃに示すように、縦軸９ａのＡ−Ａ線断面、湾曲部９ｂのＢ−Ｂ線断面及び湾曲部９ｂから接合部９ｃ間のＣ−Ｃ線断面はいずれも断面が楕円形に保持されている。
【００１３】
図３乃至図３ｃは、本発明のさらに他の実施例を示すもので、この実施例は、支持フレーム９を、その縦軸９ａから湾曲部９ｂを経てコンベア側枠８への接合部９ｃにいたる全長の内向き面及び上向き面が円弧状、好ましくは、半円形を保持して接続している。
すなわち、図３ａ〜図３ｂに示すように、縦軸９ａのＡ−Ａ線断面及び湾曲部９ｂのＢ−Ｂ線断面はコンベア５に向けて凸面円弧状に形成され、また、湾曲部９ｂからコンベア側枠８への接合部９ｃ間のＣ−Ｃ線断面は、図３ｃのように、上方へ向けた凸状円弧に形成されている。
なお、図１ａ〜図３ｃのＡ−Ａ線断面図、Ｂ−Ｂ線断面図、Ｃ−Ｃ線断面図はいずれも水平フレームの軸に対して直角に切った断面であるものとする。
【００１４】
また、図１、図２、図３の支持フレーム９はいずれも中空筒体を使用した場合を例示したが、強度などの必要に応じて、円形、楕円形、断面半円形又は断面半楕円形のロッドを使用してもよい。
【産業上の利用可能性】
【００１５】
コンベア側枠と支持フレーム間に作物の茎葉や、枯草、土塊が滞積しにくく、また、容易に取り外すことができるので、ハーベスタの走行及び収穫物のコンベア搬送が円滑になり、作業能率が向上する。
【図面の簡単な説明】
【００１６】
【図１】本発明の一実施例における支持フレームの掘取りコンベア側枠への連絡形状斜視図
【図１ａ】図１のＡ−Ａ線拡大断面図
【図１ｂ】図１のＢ−Ｂ線拡大断面図
【図１ｃ】図１のＣ−Ｃ線拡大断面図
【図２】本発明の他の実施例における支持フレームの掘取りコンベア側枠への連絡形状斜視図
【図２ａ】図２のＡ−Ａ線拡大断面図
【図２ｂ】図２のＢ−Ｂ線拡大断面図
【図２ｃ】図２のＣ−Ｃ線拡大断面図
【図３】本発明の他の実施例における支持フレームの掘取りコンベア側枠への連絡形状斜視図
【図３ａ】図３のＡ−Ａ線拡大断面図
【図３ｂ】図３のＢ−Ｂ線拡大断面図
【図３ｃ】図３のＣ−Ｃ線拡大断面図
【図４】ハーベスタの全体側面図
【符号の説明】
【００１７】
１…ビートハーベスタ
２…タンク
３…基台
４…掘取り爪
５…コンベア
６…チェーン
７…コンベア
８…コンベア側枠
９…支持フレーム
９ａ…縦軸
９ｂ…湾曲部
９ｃ…接合部
【図１】
2009034050.tif 000003
【図１ａ】
2009034050.tif 000004
【図１ｂ】
2009034050.tif 000005
【図１ｃ】
2009034050.tif 000006
【図２】
2009034050.tif 000007
【図２ａ】
2009034050.tif 000008
【図２ｂ】
2009034050.tif 000009
【図２ｃ】
2009034050.tif 000010
【図３】
2009034050.tif 000011
【図３ａ】
2009034050.tif 000012
【図３ｂ】
2009034050.tif 000013
【図３ｃ】
2009034050.tif 000014
【図４】
2009034050.tif 000015